(57)【要約】【課題】近傍範囲内に複数の情報ディスプレイが存在する場合に、１つの情報ディスプレイのみを目立たせる。【解決手段】ディスプレイ装置２であって、近傍に設置された他ディスプレイ装置２が出力する音を検出する検出手段２３と、前記検知手段２３が第１の所定時間、前記他ディスプレイ装置２が出力する音を検知しない場合に、コンテンツの再生を決定する再生タイミング決定手段２２と、前記再生タイミング決定手段２２が再生を決定した場合、コンテンツを再生する再生手段２１と、を有し、前記再生タイミング決定手段２２は、コンテンツの再生終了後、第２の所定時間が経過するまで、コンテンツの再生を待機する。【選択図】図９
2014197207.tif 000002
【特許請求の範囲】
【請求項１】
ディスプレイ装置であって、
近傍に設置された他ディスプレイ装置が出力する音を検出する検出手段と、
前記検知手段が第１の所定時間、前記他ディスプレイ装置が出力する音を検知しない場合に、コンテンツの再生を決定する再生タイミング決定手段と、
前記再生タイミング決定手段が再生を決定した場合、コンテンツを再生する再生手段と、を有し、
前記再生タイミング決定手段は、コンテンツの再生終了後、第２の所定時間が経過するまで、コンテンツの再生を待機すること
を特徴とするディスプレイ装置。
【請求項２】
ディスプレイ装置が行う情報提示方法であって、
近傍に設置された他ディスプレイ装置が出力する音を検出する検出ステップと、
前記検知ステップで第１の所定時間、前記他ディスプレイ装置が出力する音を検知しない場合に、コンテンツの再生を決定する再生タイミング決定ステップと、
前記再生タイミング決定ステップで再生を決定した場合、コンテンツを再生する再生ステップと、を行い、
前記再生タイミング決定ステップは、コンテンツの再生終了後、第２の所定時間が経過するまで、コンテンツの再生を待機すること
を特徴とする情報提示方法。
【請求項３】
請求項２記載の情報提示方法をコンピュータに実行させるための情報提示プログラム。
【発明の詳細な説明】
【技術分野】
【０００１】
本発明は、複数のディスプレイ装置で情報を提示する情報提示装置、ディスプレイ装置、情報提示方法、および情報提示プログラムに関する。
【背景技術】
【０００２】
商品販売やサービス提供を行う商業空間において広告や販売促進を行うため、または、公共空間において情報提供を行うために、テレビ型のディスプレイを情報ディスプレイとして利用するデジタルサイネージが知られている。
【０００３】
また、商品の近傍などに設置して、価格などを提示するための情報ディスプレイとして電子ポップなどが存在する。
【０００４】
また、特許文献１および非特許文献１、２には、情報ディスプレイ周辺の状況に反応して提示内容を変化させる情報ディスプレイが記載されている。
【先行技術文献】
【特許文献】
【０００５】
【特許文献１】特開2009−277097号公報
【非特許文献】
【０００６】
【非特許文献１】「人の位置移動による状況即応型デジタルサイネージインタフェースの構成法」、情報処理学会マルチメディア通信と分散処理ワークショップ、2008年12月
【非特許文献２】「近傍の状況を反映するディスプレイ「リフレクトアド」」、情報処理学会インタラクション2011、2011年3月
【発明の概要】
【発明が解決しようとする課題】
【０００７】
情報ディスプレイは、薄型かつ低価格になり、１つの空間に対して設置される情報ディスプレイの数が増加しているため、情報ディスプレイが相互に干渉し合うようになってきている。
【０００８】
例えば、ある領域内に複数の情報ディスプレイが存在する場合、それぞれが同時にコンテンツの再生を行うと、ある情報ディスプレイの音声を聞いているときに、隣の情報ディスプレイの音が大きくて聞き取れなくなるという問題がある。また、全体の騒音レベルが上がり、特定の情報ディスプレイの音声が相対的に聞こえにくくなってしまう。
【０００９】
このように、お客様（視聴者、ユーザ）の視界に多くの情報ディスプレイがあると、相互に干渉してかえって印象に残らなくなってしまう。
【００１０】
本発明は、上記事情に鑑みてなされたものであり、本発明の目的は、ある領域内に複数の情報ディスプレイが存在する場合に、１つの情報ディスプレイのみを目立たせて情報提示する情報提示装置、ディスプレイ装置、情報提示方法、および情報提示プログラムを提供することにある。
【課題を解決するための手段】
【００１１】
上記目的を達成するため、本発明は、情報提示装置であって、近傍に設置された複数のディスプレイ装置の、コンテンツの再生順を決定する再生順決定手段と、前記再生順に従って、前記複数のディスプレイ装置の中からコンテンツを再生させるディスプレイ装置を特定し、特定したディスプレイ装置にはコンテンツを再生させる再生命令を送信するとともに、他のディスプレイ装置にはコンテンツの再生を停止させる停止命令またはコンテンツの映像のみを再生させる静粛命令を送信し、前記再生順の順番で１つのディスプレイ装置でのみでコンテンツを再生させる再生制御手段と、を有する。
【００１２】
また、本発明は、ディスプレイ装置であって、近傍に設置された他ディスプレイ装置が出力する音を検出する検出手段と、前記検知手段が第１の所定時間、前記他ディスプレイ装置が出力する音を検知しない場合に、コンテンツの再生を決定する再生タイミング決定手段と、前記再生タイミング決定手段が再生を決定した場合、コンテンツを再生する再生手段と、を有し、前記再生タイミング決定手段は、コンテンツの再生終了後、第２の所定時間が経過するまで、コンテンツの再生を待機する。
【００１３】
また、本発明は、情報提示装置が行う情報提示方法であって、近傍に設置された複数のディスプレイ装置の、コンテンツの再生順を決定する再生順決定ステップと、前記再生順に従って、前記複数のディスプレイ装置の中からコンテンツを再生させるディスプレイ装置を特定し、特定したディスプレイ装置にはコンテンツを再生させる再生命令を送信するとともに、他のディスプレイ装置にはコンテンツの再生を停止させる停止命令またはコンテンツの映像のみを再生させる静粛命令を送信し、前記再生順の順番で１つのディスプレイ装置でのみでコンテンツを再生させる再生制御ステップと、を行う。
【００１４】
また、本発明は、ディスプレイ装置が行う情報提示方法であって、近傍に設置された他ディスプレイ装置が出力する音を検出する検出ステップと、前記検知ステップで第１の所定時間、前記他ディスプレイ装置が出力する音を検知しない場合に、コンテンツの再生を決定する再生タイミング決定ステップと、前記再生タイミング決定ステップで再生を決定した場合、コンテンツを再生する再生ステップと、を行い、前記再生タイミング決定ステップは、コンテンツの再生終了後、第２の所定時間が経過するまで、コンテンツの再生を待機する。
【００１５】
また、本発明は、前記情報提示方法をコンピュータに実行させるための情報提示プログラムである。
【発明の効果】
【００１６】
本発明によれば、ある領域内に複数の情報ディスプレイが存在する場合に、１つの情報ディスプレイのみを目立たせて情報提示する情報提示装置、ディスプレイ装置、情報提示方法、および情報提示プログラムを提供することができる。
【図面の簡単な説明】
【００１７】
【図１】第１の実施形態に係る情報提示システムの構成図である。
【図２】第１の実施形態の処理概要を示す図である。
【図３】第１の実施形態のフローチャートである。
【図４】第２の実施形態に係る情報提示システムの構成図である。
【図５】第２の実施形態（処理１）の処理概要を示す図である。
【図６】第２の実施形態（処理１）のフローチャートである。
【図７】第２の実施形態（処理２）の処理概要を示す図である。
【図８】第２の実施形態（処理２）のフローチャートである。
【図９】第３の実施形態に係る情報提示システムの構成図である。
【図１０】第３の実施形態の処理概要を示す図である。
【図１１】第３の実施形態のフローチャートである。
【発明を実施するための形態】
【００１８】
以下、本発明の実施の形態について、図面を参照して説明する。
【００１９】
ショッピングモールや駅構内などの情報ディスプレイ（デジタルサイネージ）は、通常壁面に設置されている。また、売り場の情報ディスプレイは、商品棚や、壁や、販売台に設置されており、近傍には商品が配置されている。
【００２０】
通常、お客様（視聴者、ユーザ）が通路などを進行する場合は、これらの情報ディスプレイを身体横に見ながら移動し、必要があれば立ち止まって情報ディスプレイに正対してその内容を見る。しかしながら、複数の情報ディスプレイが近傍範囲にある場合、情報ディスプレイが相互に干渉し合い、所望の情報ディスプレイの情報に集中できないという場合がある。本実施形態では、ある時点においては、１つの情報ディスプレイのみを目立たせて情報提示を行う。
【００２１】
＜第１の実施形態＞
図１は、第１の実施形態に係る情報提示システムの構成図である。本実施形態の情報提示システムは、サーバ１（情報提示装置）と、近傍範囲に設置された複数の情報ディスプレイ２（ディスプレイ装置）とを備える。サーバ１と各情報ディスプレイ２とは、ネットワークにより接続されている。
【００２２】
図示するサーバ１は、ディスプレイ管理部１１と、再生順決定部１２と、再生制御部１３と、記憶部１４とを備える。
【００２３】
ディスプレイ管理部１１は、各情報ディスプレイ２から送信されるサーバ１への接続要求および切断要求に基づいて、記憶部１４に記憶される登録リストを更新する。登録リストには、サーバ１に接続されている情報ディスプレイ２が登録される。
【００２４】
再生順決定部１２は、近傍に設置された複数の情報ディスプレイ２のコンテンツの再生順を決定する。再生制御部１３は、再生順決定部１２が決定した再生順に従って、コンテンツを再生させる情報ディスプレイ２を特定し、特定した情報ディスプレイ２にはコンテンツを再生させる再生命令を送信するととも、他の情報ディスプレイ２にはコンテンツの再生を停止させる停止命令またはコンテンツの映像のみを再生させる静粛命令を送信し、再生順の順番で１つの情報ディスプレイ２でのみでコンテンツを再生させる。
【００２５】
情報ディスプレイ２は、サーバ１の指示に従って、コンテンツの再生を行う再生部２１を有する。情報ディスプレイ２が再生・提示するコンテンツとしては、静止画や動画などがある。コンテンツは、各情報ディスプレイ２の図示しない記憶部に蓄積されている場合や、ネットワークを経由して配信され場合がある。動画のコンテンツがネットワークを経由して配信される場合、情報ディスプレイ２はストリーミング再生する。
【００２６】
コンテンツは、同じ情報（静止画）が継続して提示される場合や、一定長の動画映像が繰り返されたりするが、蓄積メモリを差し替えたり、ネットワークを介して新たなコンテンツが配信されることで書き換え可能である。
【００２７】
以上説明したサーバ１および情報ディスプレイ２は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。例えば、サーバ１および情報ディスプレイ２の各機能は、サーバ１用のプログラムの場合はサーバ１のＣＰＵが、そして、情報ディスプレイ２用のプログラムの場合は情報ディスプレイ２のＣＰＵが、それぞれ実行することにより実現される。
【００２８】
また、サーバ１用のプログラムおよび情報ディスプレイ２用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２９】
次に、本実施形態の処理について説明する。
【００３０】
図２は、本実施形態の情報提示方法の概要を示す説明図である。本実施形態では、サーバ１が近傍範囲に存在する複数の情報ディスプレイ２の再生順を決定し、決定した再生順で１つの情報ディスプレイ（図示する例では「Ｂ」）を選択し、選択した情報ディスプレイのみでコンテンツの再生を行う。選択した情報ディスプレイ（Ｂ）が再生を行っている間、サーバ１は、他の全ての情報ディスプレイ（図示する例では「Ａ」）を停止モードまたは静粛モードに制御する。
【００３１】
停止モードは、コンテンツの再生を停止し、情報ディスプレイの画面をオフにする。静粛モードは、映像のみのコンテンツの再生を行い、音声の出力（訴求）は行わない。なお、静粛モードでは、映像を目立たない背景調（画像全体のトーンを落とす、白っぽい画像に変更するなど）に変更して、映像のみのコンテンツ再生を行うこととしてもよい。
【００３２】
情報ディスプレイ（Ｂ）は、コンテンツの再生が終了すると、終了通知をサーバ１に送信する。サーバ１は、再生順リストの次の情報ディスプレイに再生を指示し、次の情報ディスプレイがコンテンツを再生する。これを繰り返すことにより、本実施形態では、常に１台のみの情報ディスプレイが、コンテンツを再生する。
【００３３】
図３は、図２の処理のフローチャートである。
【００３４】
なお、近傍範囲にある複数の情報ディスプレイ２の各々は、その存否をサーバ１に登録する。すなわち、情報ディスプレイ２は、起動時に接続要求をサーバに送信し、停止時には、切断要求をサーバ１に送信する。
【００３５】
サーバ１のディスプレイ管理部１１は、接続要求を送信した情報ディスプレイ２との接続を行うとともに、記憶部１４の登録リストに当該情報ディスプレイ２のＩＤ（識別情報）を登録する。接続要求には、送信元の情報ディスプレイ２のＩＤが含まれている。
【００３６】
また、ディスプレイ管理部１１は、切断要求を送信した情報ディスプレイ２との接続を切断するとともに、記憶部１４の登録リストから当該情報ディスプレイ２のＩＤを削除する。なお、切断要求には、情報ディスプレイ２のＩＤが含まれている。
【００３７】
これにより、登録リストには、サーバ１と実際に接続状態にある情報ディスプレイ２が登録される。
【００３８】
そして、再生順決定部１２は、登録リストに登録された複数の情報ディスプレイ２の中で、コンテンツの再生順を決定し、決定した再生順を登録リストに設定する（Ｓ１１）。再生順は、各情報ディスプレイ２毎にあらかじめ定められた優先順位に基づいて決定することが考えられる。例えば、各情報ディスプレイ２の優先順位を記憶した優先順位テーブル（不図示）を、サーバ１は備えるものとする。
【００３９】
なお、再生順の決定には、ラウンドロビンを用いること、登録リストへの登録順とすること、情報ディスプレイ２の位置を用いることなど様々な方法がある。
【００４０】
そして、登録リストに変更がない場合（Ｓ１２：ＹＥＳ）、再生制御部１３は、再生順が設定された登録リストを用いて、次にコンテンツを再生させる情報ディスプレイ２を特定し、特定した情報ディスプレイ２にコンテンツの再生命令を送信するとともに、他の全ての情報ディスプレイ２についてはコンテンツの再生を停止する停止命令またはコンテンツの映像のみを再生する静粛命令を送信する（Ｓ１３）。
【００４１】
これにより、再生命令を受信した情報ディスプレイ２は、コンテンツを再生する。本実施形態では、各情報ディスプレイ２が再生するコンテンツは例えば数秒から数十秒程度に短く区切られており、一回の再生では区切られた短い部分のコンテンツを再生し、その後、他の情報ディスプレイ２に再生の機会を譲るものとする。
【００４２】
停止命令または静粛命令が送信された他の情報ディスプレイ２は、コンテンツの再生を行わず画面をオフにする停止モード、またはコンテンツの映像のみを再生する静粛モードとなる。
【００４３】
再生命令を受信した情報ディスプレイ２は、コンテンツの再生が終了すると、終了通知をサーバ１に送信する（Ｓ１４）。
【００４４】
サーバ１の再生制御部１３は、終了通知を受信すると、登録リストに変更があるか否か、すなわち情報ディスプレイ２の登録または削除が発生したか否かを判別する（Ｓ１２）。登録リストに変更がない場合（Ｓ１２：ＹＥＳ）、再生制御部１３は、記憶部１４に記憶された登録リストの再生順を用いて、次にコンテンツを再生させる情報ディスプレイ２を特定し、特定した情報ディスプレイ２に再生命令を送信するとともに、他の情報ディスプレイ２については停止命令または静粛命令を送信し（Ｓ１３）、以降の処理を繰り返し行う。全ての情報ディスプレイ２でコンテンツの再生が一巡したら、１番目（最初）の情報ディスプレイ２に戻るが、その情報ディスプレイ２が再生すべきコンテンツが複数ある場合は、前回の続きとなる内容を再生することにしてもよい。
【００４５】
登録リストに変更があった場合（Ｓ１２：ＮＯ）、再生順決定部１２は、変更後の登録リストに登録された情報ディスプレイ２の中で、コンテンツの再生順を再決定し、決定した再生順を変更後の登録リストに設定する（Ｓ１５）。再生制御部１３は、変更後の登録リストを用いて、次にコンテンツを再生させる情報ディスプレイ２を特定し、特定した情報ディスプレイ２に再生命令を送信するとともに、他の情報ディスプレイ２については停止命令または静粛命令を送信し（Ｓ１３）、以降の処理を繰り返し行う。
【００４６】
図３の処理を繰り返すことで、本実施形態では、同時には１台のみの情報ディスプレイ２が訴求する状態（静粛モードではないコンテンツの再生をしている状態）をつくることができる。
【００４７】
以上説明した本実施形態では、近傍範囲にある複数の情報ディスプレイ２を１つのまとまりとして扱い、これらをサーバ１で管理し、ある時点において１つの情報ディスプレイ２のみが目立つようにコンテンツを再生することで、訴求効果を高めることができる。すなわち、１つの情報ディスプレイ２だけで映像とともに音声を鳴らし、他の情報ディスプレイ２を停止または静粛モードとすることで、１つの情報ディスプレイ２を注目させることができる。
【００４８】
また、複数の情報ディスプレイ２が存在する空間であっても、比較的静かな空間として演出することができる。また、訴求していない状態の情報ディスプレイ２は停止または静粛モードとなるので、省エネルギーになる。
【００４９】
また、１つの情報ディスプレイ２を目立たせることで、顧客満足度を高めたり、商品情報の認知を高めたり、商品の販売の売上を向上したりすることが望める。
【００５０】
また、ある１台の情報ディスプレイ２でのコンテンツ再生（訴求）が終了すると、次の情報ディスプレイ２のコンテンツ再生に移ることで、ユーザは、時間さえあれば全ての情報ディスプレイ２が訴求するコンテンツを視聴することができる。
【００５１】
また、本実施形態では、各情報ディスプレイ２から送信される接続要求および切断要求にもとづいて、登録リストが自動で更新され、更新された登録リストに基づいて再生順が決定されるため、管理者が個別に再生順を再決定する必要がない。すなわち、情報ディスプレイの数が多く、また情報ディスプレイ２の増減が頻繁に行われる場合であっても、いちいち個別に対応しなくても、全体の状況に適合した情報提示を行うことができる。
【００５２】
＜第２の実施形態＞
本実施形態では、近傍範囲の複数の情報ディスプレイの周囲を観察するために設置されたセンサによって近傍をセンシングしてお客様の位置を検知し、センシング結果に応じて各情報ディスプレイ２を制御（コンテンツ再生、停止、静粛モード）する。
【００５３】
図４は、第２の実施形態に係る情報提示システムの構成図である。本実施形態の情報提示システムは、サーバ１と、近傍範囲に設置された複数の情報ディスプレイ２と、複数の情報ディスプレイ２の周囲に存在する人（お客様など）を検知するセンサ３（ビデオカメラ、赤外線人感センサなど）と、を備える。
【００５４】
図示するサーバ１は、ディスプレイ管理部１１と、再生順決定部１２と、再生制御部１３と、記憶部１４と、ディスプレイ選択部１５とを備える。本実施形態のサーバ１は、ディスプレイ選択部１５を有する点において、第１の実施形態のサーバ１（図１参照）と異なる。ディスプレイ選択部１５は、センサ３が検知した、複数の情報ディスプレイ２の周辺に存在する人の位置および進行方向を用いて、人の視界範囲に存在する情報ディスプレイ２を複数のディスプレイ装置の中から選択する。
【００５５】
また、本実施形態の再生制御部１３は、ディスプレイ選択部１５が選択した情報ディスプレイ２の中から、再生順決定部１２が決定した再生順に従ってコンテンツを再生させる情報ディスプレイ２を特定し、特定した情報ディスプレイ２には再生命令を送信するとともに、選択した情報ディスプレイ２の中の他の情報ディスプレイ２には停止命令または静粛命令を送信し、選択した情報ディスプレイ２の中で再生順の順番で１つの情報ディスプレイ２のみでコンテンツを再生させる。
【００５６】
また、本実施形態の各情報ディスプレイ２は、起動時に接続要求をサーバに送信する際に、当該情報ディスプレイ２が設置された位置情報（X，Y）も併せて送信する点において、第１の実施形態の情報ディスプレイ２と異なり、その他は第１の実施形態と同様である。これにより、サーバ１のディスプレイ管理部１１は、接続要求を送信した情報ディスプレイ２との接続を行うとともに、記憶部１４の登録リストに当該情報ディスプレイ２のＩＤと位置情報とを登録する。これにより、登録リストには、サーバ１と実際に接続状態にある情報ディスプレイ２の位置情報が登録される。
【００５７】
図５は、本実施形態の情報提示方法の概要を示す説明図である。本実施形態では、センサ３が、複数の情報ディスプレイ２の周囲をセンシングし、お客様の位置および進行方向を検知し、サーバ１に送信する。
【００５８】
図５に示すように、お客様が複数の情報ディスプレイ２に近づいていく場合は、ディスプレイ選択部１５は、お客様の位置と進行方向と、あらかじめ定めた視野角と距離とによって算出された視界範囲の中に位置する情報ディスプレイ２を選択する。なお、各情報ディスプレイ２の位置については、記憶部１４の登録リストを参照する。
【００５９】
一方、お客様の進行方向が複数の情報ディスプレイ２から離れていく（情報ディスプレイ２を見ていない）場合は、ディスプレイ選択部１５は、いずれの情報ディスプレイ２も選択しない。
【００６０】
図６は、図５の処理を示すフローチャートである。
【００６１】
まず、センサ３が、複数の情報ディスプレイ２周辺のお客様を検知すると、当該お客様の位置および進行方向をサーバ１に入力する（Ｓ２１）。サーバ１のディスプレイ選択部１５は、センサ３から取得した進行方向を用いて、お客様が情報ディスプレイ２に向かって移動しているのか否かを判別する（Ｓ２２）。情報ディスプレイ２から遠ざかる方向に移動している場合（Ｓ２２：ＮＯ）、再生制御部１３は、全ての情報ディスプレイ２に停止命令または静粛命令を送信し、全ての情報ディスプレイ２を停止または静粛モードに制御する（Ｓ２５）。
【００６２】
情報ディスプレイ２に近づいて移動している場合（Ｓ２２：ＹＥＳ）、ディスプレイ選択部１５は、お客様の位置と進行方向と、あらかじめ定めた視野角と距離とによって算出された視界範囲の中に位置する情報ディスプレイ２を選択する（Ｓ２３）。図５に示す例では、「２」から「６」の情報ディスプレイ２を選択する。
【００６３】
再生制御部１３は、視野範囲外の情報ディスプレイ２については（Ｓ２３：ＮＯ）、停止命令または静粛命令を送信し、当該情報ディスプレイ２を停止または静粛モードに制御する（Ｓ２６）。
【００６４】
視野範囲内の情報ディスプレイ２については（Ｓ２３：ＹＥＳ）、第１の実施形態で説明したように（図３参照）、記憶部１４に記憶された登録リストの再生順を用いて、コンテンツを再生させる情報ディスプレイ２を特定し、特定した情報ディスプレイ２に再生命令を送信するとともに、他の情報ディスプレイ２については停止命令または静粛命令を送信し、選択した情報ディスプレイ２の中で再生順の順番で１つの情報ディスプレイ２のみでコンテンツを再生させる（Ｓ２４）。
【００６５】
図７は、お客様が複数の情報ディスプレイ２に対して左右に移動する場合の情報提示方法の概要を示す説明図である。ディスプレイ選択部１５は、進行方向の視界範囲にある情報ディスプレイ２（図７の例では、「１」〜「３」の情報ディスプレイ２）を選択する。
【００６６】
図８は、図７の処理を示すフローチャートである。
【００６７】
まず、センサ３が、複数の情報ディスプレイ２周辺のお客様を検知すると、当該お客様の位置および進行方向をサーバ１に入力する（Ｓ３１）。サーバ１のディスプレイ選択部１５は、センサ３から取得した進行方向を用いて、お客様が複数の情報ディスプレイ２に向かって平行に移動しているのか否かを判別する（Ｓ３２）。平行に移動していない場合（Ｓ３２：ＮＯ）、図６のＳ２２へ進む。
【００６８】
情報ディスプレイ２に平衡して移動している場合（Ｓ３２：ＹＥＳ）、ディスプレイ選択部１５は、お客様の位置と進行方向と、あらかじめ定めた視野角と距離とによって算出された視界範囲の中に位置する情報ディスプレイ２を選択する（Ｓ３３）。なお、各情報ディスプレイ２の位置については、記憶部１４の登録リストを参照する。
【００６９】
再生制御部１３は、視野範囲外の情報ディスプレイ２については（Ｓ３３：ＮＯ）、停止命令または静粛命令を送信し、当該情報ディスプレイ２を停止または静粛モードに制御する（Ｓ３６）。
【００７０】
視野範囲内の情報ディスプレイ２については（Ｓ３３：ＹＥＳ）、第１の実施形態で説明したように（図３参照）、記憶部１４に記憶された登録リストの再生順を用いて、コンテンツを再生させる情報ディスプレイ２を特定し、特定した情報ディスプレイ２に再生命令を送信するとともに、他の情報ディスプレイ２については停止命令または静粛命令を送信し、選択した情報ディスプレイ２の中で再生順の順番で１つの情報ディスプレイ２のみでコンテンツを再生させる（Ｓ３４）。
【００７１】
なお、センサ３が、複数のお客様を検知した場合、ディスプレイ選択部１５は、各お客様の視界範囲のOR集合に存在する情報ディスプレイを選択したり、あるいは、情報ディスプレイ２群に対して一番近距離のお客様のみに着目して視界範囲を決定することとしてもよい。
【００７２】
以上説明した本実施形態では、近傍範囲にある複数の情報ディスプレイ２を１つのまとまりとして扱い、それぞれの位置を管理し、人の位置と進行方向をセンサ３により検知して計算することで、映像コンテンツを再生すべき視界範囲内の情報ディスプレイ２を選択する。これにより、第１の実施形態と同様に、必要な情報ディスプレイ２だけを周囲から目立たせ、不必要な情報ディスプレイを停止または静粛モードに制御することができる。
【００７３】
具体的には、お客様の進行方向の視界範囲内の情報ディスプレイのみを目立たせ、遠ざかるまたは通り過ぎた情報ディスプレイ２は停止または静粛モードにする。これにより、相対的に主要となる情報ディスプレイを周囲から目立たせることができる。
【００７４】
また、それぞれの情報ディスプレイに接近センサを付け、人が接近した時だけ情報ディスプレイをオンにする方法では、複数の人がそれぞれ別の情報ディスプレイに接近すると、近傍範囲の複数の情報ディスプレイがオンになってしまうが、本実施形態によれは、１つのまとまりとして管理されたなかで１台の情報ディスプレイ２しか目立たないようにすることができる。
【００７５】
＜第３の実施形態＞
本実施形態では、サーバを備えることなく、各情報ディスプレイが、近傍の他の情報ディスプレイが出力する音をセンシングし、センシング結果に応じて自律的に情報ディスプレイを制御する。
【００７６】
図９は、第３の実施形態に係る情報提示システムの構成図である。本実施形態の情報提示システムは複数の情報ディスプレイ２を備え、各情報ディスプレイ２は、音声検出部２３と、再生タイミング決定部２２と、再生部２１とを備える。
【００７７】
音声検出部２３は、近傍に設置された他の情報ディスプレイ２が出力する音を検出する。音声検出部２３は、例えば集音マイクなどであって、近傍範囲の当該情報ディスプレイ２に影響を及ぼしそうな情報ディスプレイの音声を観測する。集音マイクの感度を調整することによって、どのくらいの範囲をひとまとまりの情報ディスプレイ群として扱うかを調整することができる。近傍のお客様の肉声をなるべくセンシングしないように帯域フィルタを用いても良い。また、近傍の他の情報ディスプレイ２以外が発しているＢＧＭや環境音については、ある音圧以下の音は無視して無音とみなすこととしてもよい。
【００７８】
再生タイミング決定部２２は、音声検出部２３が第１の所定時間（ｎ秒）、他の情報ディスプレイ２が出力する音を検知しない場合に、コンテンツの再生を決定する。また、再生タイミング決定部２２は、コンテンツの再生終了後、第２の所定時間（ｍ秒）が経過するまで、コンテンツの再生を待機する。再生部２１は、再生タイミング決定部２２が再生を決定した場合、コンテンツを再生する。
【００７９】
図１０は、本実施形態の処理の概要を示す説明図である。図示する例では、情報ディスプレイ（Ａ）の近傍範囲１００に情報ディスプレイ（Ｂ）が存在し、情報ディスプレイ（Ａ）の音声検出部２３（集音マイク）は、情報ディスプレイ（Ｂ）が出力する音を検知する。また、情報ディスプレイ（Ｂ）の近傍範囲２００に情報ディスプレイ（Ａ）が存在し、情報ディスプレイ（Ｂ）の音声検出部２３（集音マイク）は、情報ディスプレイ（Ａ）が出力する音を検知する。
【００８０】
そして、情報ディスプレイ（Ａ）および情報ディスプレイ（Ｂ）のそれぞれは、音声検出部２３が他の情報ディスプレイの音を検知しない無音状態に、コンテンツの再生を開始する。
【００８１】
図１１は、本実施形態の各情報ディスプレイ２の処理を示すフローチャートである。
【００８２】
音声検出部２３は、近傍範囲の他の情報ディスプレイ２が出力する音を検知し、検知結果を再生タイミング決定部２２に送出する（Ｓ４１）。再生タイミング決定部２２は、検知結果により、近傍の他の情報ディスプレイ２が一定時間（ｎ秒）、音を発生していない場合（Ｓ４２：ＹＥＳ）、コンテンツの再生を決定し、再生部２１にコンテンツの再生を開始させる（Ｓ４３）。そして、コンテンツ（例えば、数秒から数十秒に区切られたもの）の再生が終了した後、再生タイミング決定部２２は、一定時間の無音時間（ｍ秒）が経過するまで待機し、その後、Ｓ４１に戻り、音声検出部２３は周囲の音を観測する。
【００８３】
また、近傍の他の情報ディスプレイ２が音を発生している場合（Ｓ４２：ＮＯ）、一定時間（ｘ秒）が経過するまで待機し、その後、Ｓ４１に戻り、音声検出部２３は周囲の音を観測する。
【００８４】
近傍範囲の情報ディスプレイ２が同時に再生を開始しないように、ｎ、ｍ、ｘは、それぞれの情報ディスプレイ２で異なるように予め設定しておくか、ある時間範囲でランダムに設定する。
【００８５】
これにより、サーバが全体の情報ディスプレイ２を統括して観測しなくとも、各情報ディスプレイ２に備えられた音声検出部２３（集音マイク）が近傍周囲を観測することによって、複数の情報ディスプレイ２を含む空間の最適化を行うことができる。
【００８６】
以上説明した本実施形態では、各情報ディスプレイ２のそれぞれが、近傍の音を観測することによって、コンテンツを再生すべきタイミングを決定し、結果として近傍範囲内では１つの情報ディスプレイだけを目立たせ、他の情報ディスプレイ２はコンテンツを再生しない状態に制御することができる。
【００８７】
なお、本発明は上記実施形態に限定されるものではなく、その要旨の範囲内で数々の変形が可能である。例えば、各情報ディスプレイ２が再生するコンテンツは、１つのデータファイルである必要はなく、スポットアドにみられるように背景、接近への呼びかけ、立ち止まりによる詳細説明、帰ろうとすることへの呼びかけなどの一連の映像コンテンツをグループとして扱い、これを一連のものとして入れ替えてもよい。
【符号の説明】
【００８８】
１  ：サーバ
１１：ディスプレイ管理部
１２：再生順決定部
１３：再生制御部
１４：記憶部
１５：ディスプレイ選択部
２  ：情報ディスプレイ
２１：再生部
２２：再生タイミング決定部
２３：音声検出部
３  ：センサ
【図１】
2014197207.tif 000003
【図２】
2014197207.tif 000004
【図３】
2014197207.tif 000005
【図４】
2014197207.tif 000006
【図５】
2014197207.tif 000007
【図６】
2014197207.tif 000008
【図７】
2014197207.tif 000009
【図８】
2014197207.tif 000010
【図９】
2014197207.tif 000011
【図１０】
2014197207.tif 000012
【図１１】
2014197207.tif 000013